(57)【要約】【課題】送風機から室内熱交換器に送風する空気の送風抵抗を低減し、室内熱交換器の全体に効率よく紫外線光を照射することのできる室内ユニットを提供する。【解決手段】送風機１８に除菌ユニット４０を設け、除菌ユニット４０は、室内熱交換器１７に指向されるＬＥＤランプ４４と、ＬＥＤランプ４４に電力を供給する電源部４５とを備え、ＬＥＤランプ４４は、送風機１８の羽根２４ｃに設けられ、ＬＥＤランプ４４を支持するＬＥＤ基板４３は、羽根２４ｃの内部空間に配置され、ＬＥＤランプ４４は、羽根２４ｃから外部に露出するように配置されている。【選択図】図２
2020134026.tif 000002
【特許請求の範囲】
【請求項１】
箱型の筐体の内部に、送風機と、前記送風機を囲む室内熱交換器と、前記室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す室内ユニットにおいて、
前記送風機に除菌ユニットを設け、
前記除菌ユニットは、前記室内熱交換器に指向されるＬＥＤランプと、前記ＬＥＤランプに電力を供給する電源部とを備えていることを特徴とする室内ユニット。
【請求項２】
前記ＬＥＤランプは、前記送風機の羽根に設けられ、前記ＬＥＤランプを支持するＬＥＤ基板４３は、前記羽根の内部空間に配置され、前記ＬＥＤランプは、前記羽根から外部に露出するように配置されていることを特徴とする請求項１に記載の室内ユニット。
【請求項３】
前記電源部は、前記ＬＥＤランプに電力を供給するワイヤレス給電装置で構成され、
前記ワイヤレス給電装置は、前記送風機の主板に配置された受電側回路基板と、前記送風機の固定側に前記受電側回路基板と対向配置された送電側回路基板とから構成されていることを特徴とする請求項１または請求項２に記載の室内ユニット。
【請求項４】
前記電源部は、蓄電池であり、前記蓄電池、前記羽根の内部空間に配置されていることを特徴とする請求項２に記載の室内ユニット。
【請求項５】
前記羽根に、開閉蓋を設け、前記蓄電池は、前記開閉蓋を介して着脱自在とされていることを特徴とする請求項４に記載の室内ユニット。
【請求項６】
前記ＬＥＤランプおよび前記電源部は、前記送風機の主板に設けられ、前記ＬＥＤランプは、前記送風機の各羽根の間から紫外線光を照射するよう構成されていることを特徴とする請求項１に記載の室内ユニット。
【請求項７】
前記ＬＥＤランプおよび前記電源部は、前記送風機の主板の直径方向にそれぞれ配置されていることを特徴とする請求項６に記載の室内ユニット。
【発明の詳細な説明】
【技術分野】
【０００１】
本発明は、室内ユニットに関する。
【背景技術】
【０００２】
従来、空気調和装置の室内ユニットにおいては、室内熱交換器で凝縮水が生成するとともに空気中の浮遊物質が付着しやすいための菌が発生しやすい環境にある。
このため室内熱交換器に紫外線を照射して除菌する技術として、紫外線ランプの紫外線光を熱交換器に直接照射し、ファンやドレンパンなど樹脂部品に、紫外線光を直接照射すると樹脂劣化を起こし、樹脂の信頼性が低下するため、紫外線ランプとファンやドレンパンの間に反射板を設けるようにした技術が開示されている（例えば、特許文献１参照）。
【先行技術文献】
【特許文献】
【０００３】
【特許文献１】特開２０１２−１８９２４９号公報
【発明の概要】
【発明が解決しようとする課題】
【０００４】
しかしながら、前記従来の技術では、室内熱交換器の除菌を行うものではあるが、室内熱交換器の全体に紫外線光を照射するには、室内ユニットのすべての辺あるいはすべての角部に紫外線ランプを設置する必要があり、紫外線ランプが送風機から室内熱交換器に送風される空気の抵抗になり、室内熱交換器の熱交換効率を低下するおそれがある。また、紫外線ランプを多数設置するのでコストがかかるという課題があった。
本発明は、前記した事情に鑑みてなされたものであり、送風機から室内熱交換器に送風する空気の送風抵抗を低減し、室内熱交換器の全体に効率よく紫外線光を照射することのできる室内ユニットを提供することを目的とするものである。
【課題を解決するための手段】
【０００５】
前記目的を達成するため、本発明は、箱型の筐体の内部に、送風機と、前記送風機を囲む室内熱交換器と、前記室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す室内ユニットにおいて、前記送風機に除菌ユニットを設け、前記除菌ユニットは、前記室内熱交換器に指向されるＬＥＤランプと、前記ＬＥＤランプに電力を供給する電源部とを備えていることを特徴とする。
【発明の効果】
【０００６】
本発明によれば、送風機を回転駆動させることにより、ＬＥＤランプからの紫外線光を室内熱交換器の全体に照射することができ、室内熱交換器を効率よく除菌することができる。
【図面の簡単な説明】
【０００７】
【図１】本発明の第１実施の形態に係る室内ユニットの内部構造を示す断面図
【図２】第１実施の形態の送風機を示す正面図
【図３】図２のＡ−Ａ線における断面図
【図４】第１実施の形態の室内ユニットの内部を示す断面図
【図５】第１実施の形態の送風機を示す底面図
【図６】第２実施の形態を示す送風機の正面図
【図７】図６のＡ−Ａ線における断面図
【図８】第２実施の形態の羽根部分の拡大図
【図９】第３実施の形態を示す送風機の正面図
【図１０】第３実施の形態を示す送風機の縦断面図
【発明を実施するための形態】
【０００８】
第１の発明は、  箱型の筐体の内部に、送風機と、前記送風機を囲む室内熱交換器と、前記室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す室内ユニットにおいて、前記送風機に除菌ユニットを設け、前記除菌ユニットは、前記室内熱交換器に指向されるＬＥＤランプと、前記ＬＥＤランプに電力を供給する電源部とを備えている。
これにより、送風機を回転駆動させることにより、ＬＥＤランプからの紫外線光を室内熱交換器の全体に照射することができ、室内熱交換器を効率よく除菌することができる。
【０００９】
第２の発明は、前記ＬＥＤランプは、前記送風機の羽根に設けられ、前記ＬＥＤランプを支持するＬＥＤ基板は、前記羽根の内部空間に配置され、前記ＬＥＤランプは、前記羽根から外部に露出するように配置されている。
これにより、ＬＥＤ基板およびＬＥＤランプを送風機の羽根の内部空間に設けることで、送風機の羽根のＬＥＤランプからの紫外線光を室内熱交換器の全体に照射することができ、室内熱交換器を効率よく除菌することができる。
【００１０】
第３の発明は、前記電源部は、前記ＬＥＤランプに電力を供給するワイヤレス給電装置で構成され、前記ワイヤレス給電装置は、前記送風機の主板に配置された受電側回路基板と、前記送風機の固定側に前記受電側回路基板と対向配置された送電側回路基板とから構成されている。
これにより、ワイヤレス給電装置により、回転する送風機に設置されたＬＥＤランプに電力を供給することができる。
【００１１】
第４の発明は、前記電源部は、蓄電池であり、前記蓄電池、前記羽根の内部空間に配置されている。
これにより、蓄電池からＬＥＤランプに電力を供給することができ、ＬＥＤランプからの紫外線光を室内熱交換器の全体に照射することができ、室内熱交換器を効率よく除菌することができる。
【００１２】
第５の発明は、前記羽根に、開閉蓋を設け、前記蓄電池は、前記開閉蓋を介して着脱自在とされている。
これにより、蓄電池の交換が可能となる。
【００１３】
第６の発明は、前記ＬＥＤランプおよび前記電源部は、前記送風機の主板に設けられ、前記ＬＥＤランプは、前記送風機の各羽根の間から紫外線光を照射するよう構成されている。
これにより、蓄電池からＬＥＤランプに電力を供給することができ、主板に設けられたＬＥＤランプからの紫外線光を室内熱交換器の全体に照射することができ、室内熱交換器を効率よく除菌することができる。
【００１４】
第７の発明は、前記ＬＥＤランプおよび前記電源部は、前記送風機の主板の直径方向にそれぞれ配置されている。
これにより、送風機の回転バランスを確保することができる。
【００１５】
以下、本発明の一実施の形態を、図面を参照して説明する。
図１は、本発明の第１実施の形態に係る空気調和装置の室内ユニット１０の内部構造を示す断面図である。
なお、以下の説明において、上下、内外とは、天井に設置された室内ユニット１０を基準として説明している。また、空調後の空気が吹き出される空間を被調和室としている。
【００１６】
室内ユニット１０は、建屋の天井１１と天井１１の下方に設置された天井板１２との間の天井空間１３に設置される。室内ユニット１０は、室内ユニット本体１４と、室内ユニット本体１４の下側開口を覆う化粧パネル３０とを備えている。
室内ユニット本体１４は、下面の略全面が開口した略箱型の筐体１５を備える。室内ユニット本体１４は、筐体１５の内部に、発泡スチロール製の断熱部材１６と、室内熱交換器１７と、送風機１８と、室内熱交換器１７のドレン水を受けるドレンパン１９と、送風機１８に吸い込まれる空気を整流するベルマウス２０とを備える。
筐体１５の外側面の角部には、吊り用金具２１が取り付けられている。室内ユニット本体１４は、天井１１から垂れ下がる吊りボルト２２に吊り用金具２１が連結されることで、天井１１から吊り下げられた状態で設置される。
【００１７】
化粧パネル３０は、室内ユニット本体１４の下面の開口を覆うように平面視で略四角形の板状に形成されている。
化粧パネル３０の中央部分には、ベルマウス２０に連通する吸込口３１が形成されている。化粧パネル３０には、吸込口３１を覆う吸い込みグリル３２が着脱可能に取り付けられている。吸い込みグリル３２の室内ユニット本体１４側には、空気中の塵などを除去するためのフィルタ３３が設けられている。
【００１８】
化粧パネル３０の吸込口３１の外側であって化粧パネル３０の外周部の各辺に沿った位置には、空調後の空気を被調和室に送る吹出口３４がそれぞれ形成されている。すなわち、吹出口３４は、平面視で略四角形の化粧パネル３０の各辺に沿うように設けられており、吹出口３４から４方向に空気が吹き出される。
吹出口３４には、吹出方向を調整可能なフラップ（図示せず）がそれぞれ設けられている。
【００１９】
断熱部材１６は、筐体１５の側板１５ａおよび天板１５ｂの内面に設けられており、筐体１５における結露の発生を防止する。
【００２０】
送風機１８は、ファンモータ２３と、遠心ファン２４とを備えて構成される。ファンモータ２３は、下方に延びる回転軸２３ａを備え、遠心ファン２４は、回転軸２３ａに固定される。ファンモータ２３は、平面視において室内ユニット１０の略中央に配置され、筐体１５の天板１５ｂに固定されている。
遠心ファン２４は、回転軸２３ａに固定される円板状の主板２４ａと、主板２４ａの下方で主板２４ａと略同軸に配置される環状のシュラウド２４ｂと、シュラウド２４ｂと主板２４ａとを連結する複数の羽根２４ｃとを備える。羽根２４ｃは、主板２４ａの周方向に互いに間隔をあけて複数配置される。
【００２１】
室内熱交換器１７は、送風機１８の略全体を側方から囲うように、板状の熱交換器を平面視で略四角形状に折り曲げるようにして形成されている。
室内熱交換器１７は、冷房運転時には冷媒の蒸発器として機能し、暖房運転時には冷媒の凝縮器として機能する。室内熱交換器１７は、室内ユニット本体１４の内部に吸い込まれる室内の空気と冷媒との熱交換を行って、冷房運転時には空調室内の空気を冷却し、暖房運転時には室内の空気を加熱することができるように構成されている。
【００２２】
ドレンパン１９は、室内熱交換器１７で発生するドレン水を受けることができるように、室内熱交換器１７の下方に配置される。ドレンパン１９は発泡スチロール製である。
ドレンパン１９は、筐体１５の下面の開口の略全体を塞ぐように略矩形の板状に形成されている。
ドレンパン１９は、室内熱交換器１７に沿って一周する水路状に形成されている。室内ユニット１０は、ドレン水の通路上に、ドレン水を排出するドレンポンプ（図示せず）を備えている。
【００２３】
図２は、第１実施の形態の送風機１８を示す正面図である。図３は、図２のＡ−Ａ線における横断面図である。図４は、第１実施の形態の室内ユニット１０の内部を示す断面図である。図５は、第１実施の形態の送風機１８を示す底面図である。
【００２４】
図２から図５に示すように、本実施形態においては、除菌ユニット４０は、送風機１８の羽根２４ｃに設けられている。
除菌ユニット４０は、紫外線光を照射するＬＥＤランプ４４と、ＬＥＤランプ４４に電源を供給する電源部４５とを備えている。
本実施の形態においては、ＬＥＤランプ４４は、照射する紫外線光の光軸が遠心ファンの放射方向に指向するように設けられている。
ＬＥＤランプ４４は、図３に示すように、ＬＥＤ基板４３に搭載されている。ＬＥＤ基板４３は、羽根２４ｃの内部空間に配置されており、ＬＥＤランプ４４のみが羽根２４ｃから露出するように配置されている。
【００２５】
また、電源部４５は、ワイヤレス給電装置４６とされ、ワイヤレス給電装置４６は、遠心ファンの主板２４ａに取付けられた受電側回路基板４７と、送風機１８の固定側に設けられた送電側回路基板４８とから構成されている。
受電側回路基板４７と送電側回路基板４８とは、ワイヤレスで、送電側回路基板４８から受電側回路基板４７に給電が可能なシステムとなっている。
ＬＥＤランプ４４は、図示しない配線を介して受電側回路基板４７に電気的に接続されており、送電側回路基板４８から受電側回路基板４７にワイヤレスで送られる電力によりＬＥＤランプ４４の点灯を行うことができるように構成されている。
また、ＬＥＤランプの点灯、消灯は、例えば、荷重スイッチ、感圧スイッチや加速度センサを用いて行うことができるように構成されている。
【００２６】
また、本実施の形態においては、ＬＥＤ基板４３を配置した羽根２４ｃに対して直径方向に対向する羽根２４ｃにバランサ５１を配置することにより、送風機１８の回転バランスを確保するようにしている。
【００２７】
次に、本実施形態の作用について説明する。
本実施形態においては、室内ユニット１０が運転されると、送風機１８の回転によって、被調和室の空気が吸込口３１からベルマウス２０を経て内部に吸い込まれる。
次いで、吸い込まれた空気は、送風機１８によって外側に送風され、室内熱交換器１７を通過する際に熱交換されて吹出口３４から被調和室に吹き出される。
【００２８】
この場合に、室内ユニット１０が運転されると、送電側回路基板４８から受電側回路基板４７にワイヤレスで送られる電力によりＬＥＤランプ４４が点灯され、ＬＥＤランプ４４の紫外線光は、図５に示すように、羽根２４ｃの間から送風機１８の放射方向に照射される。
また、受電側部分に蓄電しておき、送風機１８が所定回転数で回転駆動された場合に、ＬＥＤランプ４４を点灯するようにしてもよい。これにより、所定回転数以上でＬＥＤランプ４４が点灯するので、ＬＥＤランプ４４の点灯寿命を確保することができる。
この紫外線光は、室内熱交換器１７に照射され、紫外線光による室内熱交換器１７の除菌が行われる。
送風機１８は、室内ユニット１０の運転により回転駆動されているので、１つのＬＥＤランプ４４により、送風機１８の周方向の全域にわたって紫外線光を照射することができる。
【００２９】
また、除菌ユニット４０を送風機１８に配置しているので、送風機１８から吸い込む空気により、ＬＥＤ基板４３の熱を冷却することができ、除菌ユニット４０の放熱効率を高めることができる。
【００３０】
以上説明したように、本実施形態においては、送風機１８に除菌ユニット４０を設け、除菌ユニット４０は、室内熱交換器１７に指向されるＬＥＤランプ４４と、ＬＥＤランプ４４に電力を供給する電源部４５とを備え、ＬＥＤランプ４４は、送風機１８の羽根２４ｃに設けられ、ＬＥＤランプ４４を支持するＬＥＤ基板４３は、羽根２４ｃの内部空間に配置され、ＬＥＤランプ４４は、羽根２４ｃから外部に露出するように配置されている。
これにより、送風機１８を回転駆動させることにより、ＬＥＤランプ４４からの紫外線光を室内熱交換器１７の全体に照射することができ、室内熱交換器１７を効率よく除菌することができる。
【００３１】
また、本実施形態においては、電源部４５は、ＬＥＤランプ４４に電力を供給するワイヤレス給電装置４６で構成され、ワイヤレス給電装置４６は、送風機１８の主板２４ａに配置された受電側回路基板４７と、送風機１８の固定側に受電側回路基板４７と対向配置された送電側回路基板４８とから構成されている。
これにより、ワイヤレス給電装置４６により、回転する送風機１８に設置されたＬＥＤランプ４４に電力を供給することができる。
【００３２】
次に、本発明の第２実施の形態について説明する。
図６は、本発明の第２実施の形態を示す送風機１８の正面図である。図７は、図６のＡ−Ａ線における断面図である。図８は、第２実施の形態の羽根２４ｃ部分の拡大図である。
図６から図８に示すように、本実施の形態においては、ＬＥＤ基板４３およびＬＥＤランプ４４は、羽根２４ｃの内部空間に配置されている。また、電源部４５は、バッテリや乾電池などの蓄電池５０で構成されており、蓄電池５０もＬＥＤ基板４３とともに羽根２４ｃの内部空間に配置されている。
【００３３】
蓄電池５０とＬＥＤ基板４３とは電気的に接続されており、ＬＥＤ基板４３およびＬＥＤランプ４４は、蓄電池５０から供給される電力により、動作できるように構成されている。
また、羽根２４ｃの表面であって、蓄電池５０に対応する位置には、開閉蓋が開閉自在に設けられている。そして、開閉蓋を開閉することにより、蓄電池５０は着脱自在とされている。これにより、蓄電池５０の交換が可能となる。
【００３４】
なお、１つの羽根２４ｃの内部空間にＬＥＤ基板４３および蓄電池５０を配置することにより、送風機１８の回転バランスが悪くなる可能性がある。そのため、ＬＥＤ基板４３および蓄電池５０を配置した羽根２４ｃに対して直径方向に対向する羽根２４ｃにバランサ５１を配置することにより、送風機１８の回転バランスを確保するようにしている。
【００３５】
第２実施の形態においても第１実施の形態と同様に、蓄電池５０から送られる電力によりＬＥＤランプ４４が点灯され、ＬＥＤランプ４４の紫外線光は、羽根２４ｃの間から室内熱交換器１７に照射され、紫外線光による室内熱交換器１７の除菌が行われる。
送風機１８は、室内ユニット１０の運転により回転駆動されているので、１つのＬＥＤランプ４４により、送風機１８の周方向の全域にわたって紫外線光を照射することができる。
また、除菌ユニット４０を送風機１８に配置しているので、送風機１８から吸い込む空気により、ＬＥＤ基板４３の熱を冷却することができ、除菌ユニット４０の放熱効率を高めることができる。
【００３６】
以上述べたように、第２実施の形態においては、電源部４５は、蓄電池５０であり、蓄電池５０は、羽根２４ｃの内部空間に配置されている。
これにより、蓄電池５０からＬＥＤランプ４４に電力を供給することができ、ＬＥＤランプ４４からの紫外線光を室内熱交換器１７の全体に照射することができ、室内熱交換器１７を効率よく除菌することができる。
【００３７】
また、第２実施の形態においては、羽根２４ｃに開閉蓋を設け、蓄電池５０は、開閉蓋を介して着脱自在とされている。
これにより、蓄電池５０の交換が可能となる。
【００３８】
次に、本発明の第３実施の形態について説明する。
図９は、本発明の第３実施の形態を示す送風機１８の正面図である。図１０は、第３実施の形態を示す送風機１８の縦断面図である。
図９および図１０に示すように、第３実施の形態においては、ＬＥＤ基板４３およびＬＥＤランプ４４は、主板２４ａの傾斜面に設けられている。
ＬＥＤランプ４４の光軸は、各羽根２４ｃの間に配置されており、これにより、ＬＥＤランプ４４からの紫外線光は、各羽根２４ｃの間から送風機１８の放射方向に照射されるように構成されている。
【００３９】
電源部４５は、第２実施の形態と同様に、蓄電池５０であり、蓄電池５０も主板２４ａの傾斜面に設けられている。
ＬＥＤ基板４３と蓄電池５０とは、送風機１８の主板２４ａの直径方向にそれぞれ配置されている。これにより、送風機１８の回転バランスを確保することができる。
【００４０】
第３実施の形態においても前記各実施の形態と同様に、蓄電池５０から送られる電力によりＬＥＤランプ４４が点灯され、ＬＥＤランプ４４の紫外線光は、羽根２４ｃの間から室内熱交換器１７に照射され、紫外線光による室内熱交換器１７の除菌が行われる。
送風機１８は、室内ユニット１０の運転により回転駆動されているので、１つのＬＥＤランプ４４により、送風機１８の周方向の全域にわたって紫外線光を照射することができる。
また、除菌ユニット４０を送風機１８に配置しているので、送風機１８から吸い込む空気により、ＬＥＤ基板４３の熱を冷却することができ、除菌ユニット４０の放熱効率を高めることができる。
【００４１】
以上述べたように、第３実施の形態においては、ＬＥＤランプ４４および電源部４５は、送風機１８の主板２４ａに設けられ、ＬＥＤランプ４４は、送風機１８の各羽根２４ｃの間から紫外線光を照射するよう構成されている。
これにより、蓄電池５０からＬＥＤランプ４４に電力を供給することができ、ＬＥＤランプ４４からの紫外線光を室内熱交換器１７の全体に照射することができ、室内熱交換器１７を効率よく除菌することができる。
【００４２】
また、第３実施の形態においては、ＬＥＤランプ４４および電源部４５は、送風機１８の主板２４ａの直径方向にそれぞれ配置されている。
これにより、送風機１８の回転バランスを確保することができる。
【００４３】
なお、実施形態に基づいて本発明を説明したが、本発明は本実施形態に限定されるものではない。あくまでも本発明の一実施態様を例示するものであるから、本発明の趣旨を逸脱しない範囲で任意に変更、および応用が可能である。
【産業上の利用可能性】
【００４４】
以上のように、本発明に係る室内ユニットは、送風機から室内熱交換器に送風する空気の送風抵抗を低減し、室内熱交換器の全体に効率よく紫外線光を照射することのできる室内ユニットに好適に利用することができる。
【符号の説明】
【００４５】
１０  室内ユニット
１４  室内ユニット本体
１５  筐体
１７  室内熱交換器
１８  送風機
１９  ドレンパン
２０  ベルマウス
２３  ファンモータ
２３ａ  回転軸
２４  遠心ファン
２４ａ  主板
２４ｂ  シュラウド
２４ｃ  羽根
３０  化粧パネル
３１  吸込口
３４  吹出口
４０  除菌ユニット
４３  ＬＥＤ基板
４４  ＬＥＤランプ
４５  電源部
４６  ワイヤレス給電装置
４７  受電側回路基板
４８  送電側回路基板
５０  蓄電池
５１  バランサ
５２  開閉蓋
【図１】
2020134026.tif 000003
【図２】
2020134026.tif 000004
【図３】
2020134026.tif 000005
【図４】
2020134026.tif 000006
【図５】
2020134026.tif 000007
【図６】
2020134026.tif 000008
【図７】
2020134026.tif 000009
【図８】
2020134026.tif 000010
【図９】
2020134026.tif 000011
【図１０】
2020134026.tif 000012